(57)【要約】【課題】  顧客が選択したクレジットカード会社の申込書を封筒に入れて郵送でき、申込書が間違えられて送付されるといった事故を防止できる封筒一体型申込帳票を提供する。【解決手段】  複数の申込紙片と封筒部付き紙片とが綴じ合わされ、前記申込紙片の一部には申込宛先情報が記載され、前記封筒部付き紙片には、封筒部を切り取り可能に形成された切り取り用ミシンが形成され、前記封筒部付き紙片の封筒部上に、透明化剤を用いて透明化された透明部分を有する封筒用基材が重ね合わされ、その三周縁が接着され、更に前記封筒部の封入口側に、折り畳み予定線が表示され、前記切り取り用ミシンが形成された部分と、前記折り畳み予定線が表示された部分との間の部分の上面に、前記折り畳み予定線で折り畳んだ際に、その折り畳んだ部分の紙片を、前記透明部分を有する基材上に接着させるための粘着剤が設けられ、前記粘着剤上に剥離紙が剥離可能に貼付されている。【選択図】        図２
2009078405.tif 000002
【特許請求の範囲】
【請求項１】
申込先が異なる複数の申込紙片と、前記申込紙片を封入するための封筒部が形成された封筒部付き紙片とが、一端部で綴じ合わされた封筒一体型申込帳票であって、
前記複数の申込紙片の一部には、各申込紙片の申込先情報が記載され、
前記封筒部付き紙片には、前記封筒部を切り取り可能に形成された切り取り用ミシンが形成され、前記封筒部付き紙片の封筒部上に、透明化剤を用いて透明化された透明部分を有する封筒用基材が重ね合わされてなると共に、その三周縁で接着されて一辺開封型の封筒部が形成され、更に前記封筒部付き紙片の封筒部の封入口側に、前記封筒部付き紙片の一部を折り畳むための折り畳み予定線が表示され、前記封筒部付き紙片の前記切り取り用ミシンが形成された部分と、前記折り畳み予定線が表示された部分との間の部分の上面に、前記折り畳み予定線で前記封筒部付き紙片の一部を折り畳んだ際に、その折り畳んだ部分の紙片を、前記透明部分を有する基材上に接着させるための粘着剤が設けられ、前記粘着剤上に剥離紙が剥離可能に貼付されていることを特徴とする封筒一体型申込帳票。
【発明の詳細な説明】
【技術分野】
【０００１】
本発明は、申込先が異なる複数の申込紙片と、前記申込紙片を封入するための封筒部が形成された封筒部付き紙片とが、一端部で綴じ合わされた封筒一体型申込帳票に関する。
【背景技術】
【０００２】
従来、通信会社などでは、顧客の囲い込みを図るためにクレジット機能付きの自社カードを発行する場合が多く、顧客がこれらカードの発行申込みを行えるように、テイクワンボックスなどに、申込書と案内書とが一体に綴られた申込み用の帳票が置かれるなどしている。
これら申込み用の帳票には、顧客が記入した申込書を郵送できるようにするために封筒が一体に形成された封筒一体型帳票が使用されたり、また、記入された申込書を折り畳んで糊付けすることで、封書を作成して投函可能とする構成を有するものなどが知られている。（例えば、特許文献１〜３、参照）
【０００３】
【特許文献１】特開平９−１９３５７５
【特許文献２】特開平９−１９３５７６
【特許文献３】特開２００６−７７２６
【０００４】
一般的に、通信会社などでは、顧客がこれらの申込み用の帳票を用いてクレジットカード会社に対して、クレジットサービスの申込みを行う場合には、複数のクレジットカード会社の中から、顧客が利用を希望するクレジットカード会社を自由に選択できるようになっている。
このために、各クレジットカード会社毎に専用の申込み用の帳票が用意されており、テイクワンボックスなどクレジットカード会社別の申込み用の帳票が置かれ、顧客が申込みを行うクレジットカード会社の申込み用の帳票を自由に使用できるようにしてある。
【０００５】
しかしながら、各クレジットカード会社毎に使用する専用の申込み用の帳票を製造する場合には、製造コストがかかり、また、それらクレジットカード会社毎の申込み用の帳票を置くための場所も用意する必要があり、大きなテイクワンボックスなどを置くためのスペースを確保しなければならず無駄が多いという問題がある。
【０００６】
上記の問題を解決するために、例えば、封筒一体型帳票に、申込み可能なクレジットカード会社の数だけ申込書を設けることで共通で使用できるようにすると共に、クレジットカード会社毎の宛先を表示させた宛名ラベルを用意するなどしておくことで、顧客が申込みを行う際に、申し込む先のクレジットカード会社の宛名ラベルを使用して、申込書の宛名欄や封筒の表面にそのクレジットカード会社の宛先が表示された宛先ラベルを貼り付けて送付するといった方法も考えられる。
【０００７】
しかしながら、宛名ラベルを申込書の表面や封筒に貼り付ける際に、申込書で申し込もうとするクレジットカード会社と異なるクレジットカード会社の宛先が表示された宛名ラベルを申込書や封筒に貼り付けて、そのまま間違ったクレジットカード会社宛てに送付してしまうといった誤送の危険性があるという問題があり好ましくない。
【発明の開示】
【発明が解決しようとする課題】
【０００８】
そこで、本発明は、申込先が異なる複数の申込紙片と、前記申込紙片を封入するための封筒部が形成された封筒部付き紙片とが、一端部で綴じ合わされた封筒一体型申込帳票を使用して、複数の異なるクレジットカード会社の中から顧客が申し込みを希望するクレジットカード会社を選択して、申込書を封筒に入れて郵送することができ、更に、封筒に封入した申込書が、間違えられて異なるクレジットカード会社に送付されるといった誤送事故を防止することができるようにした封筒一体型申込帳票を提供する。
【課題を解決するための手段】
【０００９】
本発明の封筒一体型申込帳票は、申込先が異なる複数の申込紙片と、前記申込紙片を封入するための封筒部が形成された封筒部付き紙片とが、一端部で綴じ合わされた封筒一体型申込帳票であって、前記複数の申込紙片の一部には、各申込紙片の申込先情報が記載され、前記封筒部付き紙片には、前記封筒部を切り取り可能に形成された切り取り用ミシンが形成され、前記封筒部付き紙片の封筒部上に、透明化剤を用いて透明化された透明部分を有する封筒用基材が重ね合わされてなると共に、その三周縁で接着されて一辺開封型の封筒部が形成され、更に前記封筒部付き紙片の封筒部の封入口側に、前記封筒部付き紙片の一部を折り畳むための折り畳み予定線が表示され、前記封筒部付き紙片の前記切り取り用ミシンが形成された部分と、前記折り畳み予定線が表示された部分との間の部分の上面に、前記折り畳み予定線で前記封筒部付き紙片の一部を折り畳んだ際に、その折り畳んだ部分の紙片を、前記透明部分を有する基材上に接着させるための粘着剤が設けられ、前記粘着剤上に剥離紙が剥離可能に貼付されていることを特徴とする。
【発明の効果】
【００１０】
本発明の封筒一体型申込帳票は、申込先が異なる複数の申込紙片にそれぞれ申込宛先情報が記載され、封筒部が透明化剤を用いて透明化された透明部分を有する封筒用基材で形成されているので、申込紙片を封筒部内に封入した状態でも、外部から申込宛先情報が見える状態とすることが可能なので、申込書を間違えて異なるクレジットカード会社に送付されるといった誤送事故を防止することができるという効果がある。
【発明を実施するための最良の形態】
【００１１】
以下、本発明の実施形態に係る封筒一体型申込帳票を、図面に基づいて説明する。
図１は、本発明の実施形態に係る封筒一体型申込帳票の斜視図、図２は、本発明の実施形態に係る封筒一体型申込帳票の構成を説明するための分解斜視図、図３は、図１のＡ−Ａ線断面図、図４は、本発明の実施形態に係る封筒一体型申込帳票を用いて、申込紙片を封筒に封入するまでの流れを示す説明図である。
【００１２】
本発明の実施形態に係る封筒一体型申込帳票１は、図１に示すように、縦方向に平行に複数の折り畳み予定線２が表示された複数の紙片が重ね合わされ、それらの紙片の一端部で綴じ合わされた構成を有している。
そして、これらの重ね合わされた複数の紙片は、表示されている複数の折り畳み予定線２から順次に折り返され、折り畳まれることで丸められて、左右方向の寸法が小さい状態にすることで、その折り畳まれた複数の紙片をビニール袋などに入れることで、テイクワンボックスなどに置きやすい小さなサイズにできるようになっている。
【００１３】
次に、図２に基づいて、封筒一体型申込帳票１の構成について詳細を説明する。
封筒一体型申込帳票１の重ねられた複数枚の紙片として、７枚の紙片が重ね合わされている。
これらの７枚の紙片は、上位から順番に、案内情報記載紙片３，４、申込用紙片５〜８、封筒部付き紙片９の紙片が重ねられている。
そして、これらの７枚の紙片は、それぞれが一端縁で接着剤１０により接着されて一体化された構成を有している。
また、各申込用紙片５〜８には、それぞれ接着剤１０の内側に切り取りミシン１１が形成され、必要に応じて切り取りミシン１１から申込用紙片５〜８を切り取れるように構成されている。
【００１４】
案内情報記載紙片３，４には、クレジットカード会社側から申込者である顧客に伝えるための種々の案内情報が記載されている。
したがって、案内情報記載紙片は、必ずしも設けなくてもよく、また、必要に応じて２枚以上の枚数の案内情報記載紙片を設けることができる。
また、申込用紙片５〜８は、４枚に限定されるものではなく、申し込むことができるクレジットカード会社である任意の数の申込用紙片を設けることができる。
【００１５】
また、最下位にある封筒部付き紙片９は、折り兼切り取り用ミシン１８から右側にある封筒部片９ａを除く他の部分に、封筒部付き紙片９の使い方などの説明などが記載されている。
申込者は、その記載された使い方などの説明を読むことで、申込用紙片５〜８の中から申込みを行うクレジットカード会社の申込用紙片に必要事項を記入した後、封筒部付き紙片９を用いて送付できるようにしてある。
【００１６】
また、申込用紙片５〜８の縦横方向の寸法は、他の紙片である、案内情報記載紙片３、案内情報記載紙片４、封筒部付き紙片９、の各紙片の縦横方向の寸法よりも短い寸法で形成されている。
つまり、少なくとも申込用紙片５〜８の縦横方向の寸法は、申込用紙片５〜８を複数の折り畳み予定線２から順次に折り返して畳んだ寸法が、封筒部付き紙片９に形成されている封筒部内に封入可能な寸法により形成されている。
これにより、顧客は、申込用紙片５〜８の中から選んだ１枚の申込用紙片に申込みに必要な事項を記入した後に、切り取りミシン１１から切り取り、折り畳み予定線２から順次に折り畳んで、封筒部内に封入して送付できるようになっている。
【００１７】
また、封筒部付き紙片９の右側の一部には、切り取った申込用紙片を封入するための封筒部が形成されている封筒部片９ａが設けられている。
封筒部片９ａは、封筒部付き紙片９に形成された折り兼切り取り用ミシン１８が形成されている部分の右側部分であり、折り兼切り取り用ミシン１８から切り取ることで、封筒として使用される。
封筒部付き紙片９の封筒部片９ａ上には、透明化剤を用いて透明化された透明部分１２ａを有する封筒用基材１２が重ね合わされてなると共に、その三周縁が接着剤１３で接着されて一辺開封型の封筒部が形成されている。
また、封筒部の封入口側に、封筒部付き紙片９の封筒部片９ａの一部を折り畳むための折り畳み予定線１４が表示されている。
更に、封筒部付き紙片９の封筒部片９ａの一部上面に、折り畳み予定線１４で封筒部付き紙片９の封筒部片９ａの一部が折り畳まれた際に、その折り畳んだ一部紙片部分を、透明化剤を用いて透明化された透明部分１２ａを有する封筒用基材１２上に接着させるための粘着剤１５が設けられ、また、粘着剤１５上に剥離紙１６が剥離可能に貼付されている。
【００１８】
透明化剤を用いて透明化された透明部分１２ａを有する封筒用基材１２は、基材が透明化剤を用いて透明化され封入された申込用紙片に記載された宛先情報を見ることが可能な透明性を有していればよく、封筒部片９ａの封筒内部に封入された各申込紙片に表示されている申込宛先情報を、外部から目視して封筒の配達者などが簡単に確認ができるようになっている。
【００１９】
次に、図４に基づいて、封筒一体型申込帳票１の使用方法について説明する。
封筒一体型申込帳票１を使用する顧客は、案内情報記載紙片３，４に記載されている案内情報を読んだ後に、申込用紙片５〜８の中から、自分が申し込みを行なうクレジットカード会社に該当する申込用紙片を選んで、その申込用紙片に必要事項の記入を行なう。
図４では、申込用紙片８が、自分が申し込みを行なうクレジットカード会社に該当する申込用紙片であるとして示されている。
申込用紙片８に必要事項の記入が行なわれた後に、折り畳み予定線２から順次に折り畳んで、封筒部内に封入可能なサイズにする。
この折り畳みの際に、申込用紙片８に印刷されている宛先情報１７が表面に位置するように折り畳む。
【００２０】
次に、封筒部付き紙片９の折り兼切り取り用ミシン２ａから封筒部片９ａの切り取りを行う。
そして、封筒部片９ａの封筒内部に、折り畳まれた申込用紙片８を宛先情報が表側にくる状態で封入する。
次に、粘着剤１５上から剥離紙１６を剥離させた後に、折り畳み予定線１４から折り畳んで、粘着剤１５により封筒部片９ａの一部を貼付させる。
これにより、封入された申込用紙片８の宛先情報が、透明化剤を用いて透明化された透明部分を有する封筒用基材１２を透視して目視可能な状態で送付できる。
【図面の簡単な説明】
【００２１】
【図１】本発明の実施形態に係る封筒一体型申込帳票の斜視図である。
【図２】本発明の実施形態に係る封筒一体型申込帳票の構成を説明するための分解斜視図である。
【図３】図１のＡ−Ａ線断面図である。
【図４】本発明の実施形態に係る封筒一体型申込帳票を用いて、申込紙片を封筒に封入するまでの流れを示す説明図である。
【符号の説明】
【００２２】
１  封筒一体型申込帳票
２，１４  折り畳み予定線
３，４  案内情報記載紙片
５，６，７，８  申込用紙片
９  封筒部付き紙片
９ａ  封筒部片
１０，１３  接着剤
１１  切り取りミシン
１２  透明化剤を用いて透明化された透明部分を有する封筒用基材
１２ａ  透明部分
１５  粘着剤
１６  剥離紙
１７  宛先情報
１８  折り兼切り取り用ミシン
【図１】
2009078405.tif 000003
【図２】
2009078405.tif 000004
【図３】
2009078405.tif 000005
【図４】
2009078405.tif 000006